(57)【特許請求の範囲】
【請求項１】
裏面に発熱体を備えた複数枚のヒーターパネルを床下地面に直貼りして床暖房面とし、前記床暖房面の一方の側辺に位置するヒーターパネルに取り付けられたコネクターに、電源線の一方端にコネクターを取り付けた電源ケーブルにおける前記コネクターを接続し、かつ前記電源線を床下地面上に前記一方の側辺に位置するヒーターパネルに沿って走らせて壁面近傍まで配線し、少なくとも前記電源線のヒーターパネルに沿って走る部分を収容する第１の凹溝を裏面に有する配線パネルを用いて、前記第１の凹溝内に前記電源線の部分を収容するようにして前記配線パネルを床下地面に直貼りしていく工程を少なくとも有する電気式床暖房構造の施工方法であって、
前記配線パネルとして、前記一方の側辺に位置するヒーターパネルに沿う方向で分割面により２分割された第１の分割パネルと第２の分割パネルからなり、前記第１の凹溝の凹部は前記第１の分割パネルの裏面に前記分割面に沿う方向に形成されるようにされており、前記第２の分割パネルは裏面側の前記分割面に沿う方向に、前記第１の凹溝の側壁の一部を形成する突出部を有している配線パネルを用い、
前記配線パネルを床下地面に直貼りしていく工程は、少なくとも、
前記第２の分割パネルを前記突出部が外側となるようにして前記一方の側辺に位置するヒーターパネルに沿って床下地面に直貼りしていく工程、
前記電源ケーブルの前記電源線の部分を前記第２の分割パネルの前記突出部に沿って床下地面上を走らせて壁面近傍まで配線する工程、
配線後に、前記第１の分割パネルを前記第２の分割パネルに沿って配置し、前記第１の分割パネルの前記凹部と前記第２の分割パネルの前記突出部とにより形成される前記第１の凹溝内に前記電源線を収容した状態で前記第１の分割パネルを床下地面に直貼りしていく工程、
と含むことを特徴とする電気式床暖房構造の施工方法。
【請求項２】
前記第２の分割パネルの全部または一部として、裏面に前記第１の凹溝の直交する方向に第２の凹溝を備えたものを用いることを特徴とする請求項１に記載の電気式床暖房構造の施工方法。
【請求項３】
前記第１の分割パネルと第２の分割パネルとして、木質系床基材とその裏面に貼り付けたバッカー材とを少なくとも備えるものを用い、前記直貼り工程後に前記配線パネルの裏面に形成される凹溝は、少なくとも前記バッカー材の部分に形成されることを特徴とする請求項１または２に記載の電気式床暖房構造の施工方法。
【請求項４】
裏面に発熱体を備えた複数枚のヒーターパネルを床下地面に直貼りして構成される電気式床暖房構造であって、
床暖房面の一方の側辺に位置するヒーターパネルに取り付けられたコネクターには、電源線の一方端にコネクターを取り付けた電源ケーブルにおける前記コネクターが接続されており、
前記電源線は床下地面上に前記一方の側辺に位置するヒーターパネルに沿う方向に走って壁面近傍まで配線されており、
少なくとも前記電源線のヒーターパネルに沿って走る部分は、前記一方の側辺に位置するヒーターパネルに沿う方向で分割面により２分割された第１の分割パネルと第２の分割パネルからなる配線パネルであって、
前記第１の分割パネルと第２の分割パネルを前記分割面に沿って位置させることによりその裏面に形成される凹溝内に、前記電源線が収容された状態で、前記配線パネルは床下地面に直貼りされており、
前記凹溝の凹部は前記第１の分割パネルの裏面に前記分割面に沿う方向に形成されるようにされており、前記第２の分割パネルは裏面側の前記分割面に沿う方向に、前記凹溝の側壁の一部を形成する突出部を有しており、
前記電源ケーブルの前記電源線の部分が前記第２の分割パネルの前記突出部に沿って床下地面上を走らせて壁面近傍まで配線されていると共に、前記第１の分割パネルの前記凹部と前記第２の分割パネルの前記突出部とにより形成される前記凹溝内に前記電源線を収容した状態で、前記第１の分割パネルおよび第２の分割パネルが床下地面に直貼りされていることを特徴とする電気式床暖房構造。 
【発明の詳細な説明】
【技術分野】
【０００１】
本発明は電気式床暖房構造およびその施工方法に関し、特に、発熱体を備えた複数枚のヒーターパネルに加えて、発熱体を備えずかつ電源ケーブルを収容する凹溝を裏面に備えた配線パネルとを用いる形態の直貼り電気式床暖房構造およびその施工方法に関する。
【背景技術】
【０００２】
木質基材の裏面側に線ヒーターや面ヒーターである発熱源を組み込んだヒーターパネルを用いて、電気式の床暖房構造を施工することは知られている。特許文献１や特許文献２には、特に、コンクリートスラブである床下地面に施工するのに好適な電気式の床暖房構造が記載されている。図３は、その一例であり、この電気式直貼り床暖房構造において、コンクリートスラブＣの上に、貼り出し用ヒーターパネルＡ１とヒーターパネルＡ、および周辺パネルＢと配線パネルＢ１が直貼りされている。各パネルは、図４（ｃ）に配線パネルＢ１における例を示すように、不織布層６１と樹脂発泡体層６２の２層構造のバッカー材６０を裏面に積層している。
【０００３】
施工に際しては、一方壁面の周辺パネルＢを貼り、次に、貼り出し用ヒーターパネルＡ１を取り付け、以下、必要枚数のヒーターパネルＡを多段に貼り付ける。その両辺にも周辺パネルＢを貼り付ける。この例では、伝熱面は２つの区分に分けられており、最下段には、２つのヒーターパネルＡａ、Ａｂが各伝熱区分への電流取り入れ部として配置してある。
【０００４】
最下段の２つのヒーターパネルＡａ、Ａｂに取り付けられたコネクター５ａ，５ｂに、図５に示す、電源線３２ａ，３２ｂの一方端にコネクター３１ａ，３１ｂを取り付けた電源ケーブル３０のコネクター３１ａ，３１ｂを接続する。図示のように、コネクター３１ａ，３１ｂの直後で電源線３２ａ，３２ｂを９０度に折り曲げ、ヒーターパネルＡａ、Ａｂに平行に電源線３２ａ，３２ｂを配置する。電源線３２ａ，３２ｂの後端側は１本にまとめられており、そのままコントロールボックスが位置する壁２０まで案内し、壁裏面を通してリレーボックス２１の箇所において、２本の電源線３２ａ，３２ｂをそれぞれの電源端子に結線する。
【０００５】
そのような結線作業と平行して、図４に示す配線パネルＢ１を、その裏面に形成した凹溝内に電源線３２ａ，３２ｂを収容するようにして取り付ける。配線パネルＢ１は、周囲に雄実加工５１と雌実加工５２が施された長尺状の木質基材５０が組み付けられて１つのピースとされている。木質基材５０の裏面には、不織布層６１と樹脂発泡体層６２との２層構成とされたバッカー材６０が、不織布層６１が木質基材５０の裏面側に面するようにして貼り付け積層されている。一例として、不織布層６１はポリエチレン繊維製の不織布であり、樹脂発泡体層６２はＰＥＴの発泡体である。
【０００６】
バッカー材６０には、長手方向に沿うようにして第１の凹溝６３が形成され、さらにそれに直交するようにして２本の第２の凹溝６４が形成されている。凹溝６３、６４の溝幅は、前記した電源ケーブル３０の電源線３２ａ，３２ｂを収容できる溝幅である。また、溝深さも電源線３２ａ，３２ｂを収容できる深さとされるが、バッカー材６０の厚みでは電源線３２ａ，３２ｂを収容できるだけの深さが得られない場合には、図示のように木質基材５０の裏面にも凹溝が延長して形成される。
【０００７】
このような凹溝６３、６４を裏面に備えた配線パネルＢ１を用いることにより、電源ケーブル３０の電源線３２ａ，３２ｂがコンクリートスラブＣの上に飛び出た状態で配線されていても、それを凹溝内に収容しながら配線パネルＢ１をコンクリートスラブＣの上に直貼りすることができるので、直貼りによる電気式暖房床構造の施工コストは大きく低減する。また、凹溝は交差するようにして複数本が形成されているので、図示のように電源ケーブル３０が９０度に折曲した状態で配線されていても、支障なく全体を凹溝内に収容することができる。
【０００８】
【特許文献１】特開２００５−１０６３０１号公報
【特許文献２】特開２００６−０８３５６８号公報
【発明の開示】
【発明が解決しようとする課題】
【０００９】
上記の施工方法による電気式床暖房構造において、前記電源ケーブル３０を所定の位置に配線するに際して、上記した配線パネルＢ１の裏面に形成した凹溝６３，６４内に電源ケーブル３０の電源線がきっちりと納まるように、コネクター同士を接合後、作業者はコンクリートスラブ面に墨打ち等でマーキングＭを行い、電源線３２を所定位置でまっすぐに延ばしながら粘着テープ３３によりコンクリートスラブ面に固定し、また、所定位置で９０゜に折り曲げた姿勢とした後、粘着テープ３３でやはりコンクリートスラブ面に固定する作業を行っている。この作業は時間を要する作業であり、現場での作業時間を短縮する省力化が求められている。
【００１０】
また、配線パネルＢ１の貼り付けは、仮固定した状態の電源線３２の上から配線パネルＢ１を覆い被せる作業であり、裏面に形成した凹溝６３，６４内に的確に電源線３２が収容されているかどうかの確認が困難なことから、マーキングと仮固定には慎重な作業が求められている。
【００１１】
本発明は、上記の事情に鑑みてなされたものであり、上記した形態の電気式床暖房構造の施工において、電源ケーブルおよびその電源線の床下地面（例えば、コンクリートスラブ面）への配線作業を容易かつ短時間で行えるようにすること、さらに施工の途中で配線具合を目視確認できるようにすること可能とした、電気式床暖房構造およびその施工方法を提供することを課題とする。
【課題を解決するための手段】
【００１２】
上記の課題を解決するための本発明による電気式床暖房構造の施工方法は、裏面に発熱体を備えた複数枚のヒーターパネルを床下地面に直貼りして床暖房面とし、前記床暖房面の一方の側辺に位置するヒーターパネルに取り付けられたコネクターに、電源線の一方端にコネクターを取り付けた電源ケーブルにおける前記コネクターを接続し、かつ前記電源線を床下地面上に前記一方の側辺に位置するヒーターパネルに沿って走らせて壁面近傍まで配線し、少なくとも前記電源線のヒーターパネルに沿って走る部分を収容する第１の凹溝を裏面に有する配線パネルを用いて、前記第１の凹溝内に前記電源線の部分を収容するようにして前記配線パネルを床下地面に直貼りしていく工程を少なくとも有する電気式床暖房構造の施工方法であって、
前記配線パネルとして、前記一方の側辺に位置するヒーターパネルに沿う方向で２分割された第１の分割パネルと第２の分割パネルからなり、前記第１の凹溝は前記第１の分割パネルの裏面に前記分割面に沿う方向に形成されるようにされており、前記第２の分割パネルは裏面側に前記分割面に沿う方向の突出部を有している配線パネルを用い、
前記配線パネルを床下地面に直貼りしていく工程は、少なくとも、前記第２の分割パネルを前記突出部が外側となるようにして前記一方の側辺に位置するヒーターパネルに沿って床下地面に直貼りしていく工程と、前記電源ケーブルの前記電源線の部分を前記第２の分割パネルの前記突出部に沿って床下地面上を走らせて壁面近傍まで配線する工程と、配線後に、前記第１の分割パネルを前記第２の分割パネルに沿って配置し第１の分割パネルの裏面に形成される前記第１の凹溝内に前記電源線を収容した状態で前記第１の分割パネルを床下地面に直貼りしていく工程と、と含むことを特徴とする。
【００１３】
本発明による電気式床暖房構造の施工方法において、前提となる要件、すなわち「・・・電気式床暖房構造の施工方法であって、」までの要件は、［背景技術］の欄において図３に基づき説明した電気式床暖房構造の施工方法の内容と実質的に同じである。本発明においては、配線パネルとして上記した２分割された配線パネルを用いる点に技術的特徴がある。その第２の分割パネルを最初に取り付け、それに沿って電源ケーブルの電源線を配線することできるので、配線位置は正確であると共に、配線作業を容易かつ短時間で行うことができる。また、配線後の電源線の状態を外から視認できるので、電源線の配線状態の確認は容易である。確認後に、第１の分割パネルを第２の分割パネルに沿って配置することで配線パネルとしての直貼り作業は終了する。
【００１４】
本発明による電気式床暖房構造の施工方法において、電源ケーブルの形態およびヒーターパネルで構成される床暖房面の形状等によっては、前記第２の分割パネルの全部または一部として、裏面に前記第１の凹溝の直交する方向に第２の凹溝を備えたものを用いるようにする。
【００１５】
また、本発明による電気式床暖房構造の施工方法において、前記第１の分割パネルと第２の分割パネルとして、木質系床基材とその裏面に貼り付けたバッカー材とを少なくとも備えるものを用い、前記直貼り工程後に前記配線パネルの裏面に形成される凹溝は、少なくとも前記バッカー材の部分に形成されるようにする。なお、この形態では、バッカー材の先端が厳正のガイドとして機能する。
【００１６】
本発明は、さらに、裏面に発熱体を備えた複数枚のヒーターパネルを床下地面に直貼りして構成される電気式床暖房構造であって、床暖房面の一方の側辺に位置するヒーターパネルに取り付けられたコネクターには、電源線の一方端にコネクターを取り付けた電源ケーブルにおける前記コネクターが接続されており、前記電源線は床下地面上に前記一方の側辺に位置するヒーターパネルに沿う方向に走って壁面近傍まで配線されており、少なくとも前記電源線のヒーターパネルに沿って走る部分は、前記一方の側辺に位置するヒーターパネルに沿う方向で２分割された第１の分割パネルと第２の分割パネルからなる配線パネルであって、第１の分割パネルと第２の分割パネルを前記分割面に沿って位置させることによりその裏面に形成される凹溝内に収容された状態で、前記配線パネルは床下地面に直貼りされているとを特徴とする電気式床暖房構造をも開示する。
【発明の効果】
【００１７】
本発明によれば、ヒーターパネルと電源ケーブルと凹溝を有する配線パネルを用いて構成される直貼り式電気式床暖房構造において、その施工時に、電源ケーブルおよびその電源線の床下地面への配線作業を容易かつ短時間で行うことができる。また、施工の途中で配線具合を目視確認することができ、床暖房作業全体の効率化も図ることができる。
【発明を実施するための最良の形態】
【００１８】
以下、図面を参照しながら、本発明を実施の形態により説明する。なお、本発明による電気式床暖房構造およびその施工方法において、構成部材では前記「配線パネル」の構成のみが、従来のこの種の形態の電気式床暖房構造と相違し、他は同じであってよく、また、施工方法では、前記「配線パネル」の施工工程と、それに伴う「電源ケーブル」の施工工程のみが、従来のこの種の形態の電気式床暖房構造の施工方法と相違し、他は同じであってよい。従って、従来の電気式床暖房構造およびその施工方法と同じ部分の説明は、前記図３に基づき行った電気式床暖房構造およびその施工方法についての説明をそのまま準用することとし、ここでの説明は省略する。
【００１９】
図１は本発明で用いる配線パネルの一例を説明する図であり、図２は本発明の施工方法の一例を説明するための図である。
【００２０】
最初に、本発明による「配線パネル」を図１に基づき説明する。図１（ａ）は上面図、図１（ｂ）は背面図、図１（ｃ）は図１（ａ）のｃ−ｃ線による断面図である。図１に示すように、本発明による配線パネルＢ１は、長手方向、すなわち、図３での床暖房面の一方の側辺に位置するヒーターパネルＡａ，Ａｂに沿う方向で２分割された第１の分割パネルＢ１１と第２の分割パネルＢ１２とで構成される。この例では、図４に示した配線パネルＢ１を基本構成とし、それを長手方向に２分割しているが、木質基材５０は、４本の長尺状の単位木質基材により構成されている。
【００２１】
すなわち、配線パネルＢ１を構成する木質基材５０は、その短手方向の中央（図示の例では、２本目と３本目の単位木質基材の間）において長手方向に２分割されており、バッカー材６０は、配線パネルＢ１に形成される長手方向の凹溝６３（以下、この凹溝を「第１の凹溝」という）の前記木質基材５０の分割面側の側壁部分６０ａの位置で長手方向に分割されている。従って、図示されるように、第１の分割パネルＢ１１では、木質基材５０の裏面に凹溝６３の一部が形成されると共に、木質基材５０の裏面には凹溝６３と反対側（図１（ｃ）では左側）の面にのみバッカー材６０が貼り付けられている。一方、第２の分割パネルＢ１２では、木質基材５０の裏面の全面にバッカー材６０が貼り付けられると共に、貼り付けられたバッカー材６０は、木質基材５０の分割面を越えてさらに外側（図１（ｃ）では左側）に延出して、前記分割面に沿う方向の突出部６５を形成している。この突出部６５は、２つの分割パネルを組み合わせたときに、第１の分割パネルＢ１１における木質基材５０の裏面でのバッカー材６０が貼り付けられていない領域５０ａの下に入り込み、その側壁部分６０ａは、前記凹溝６３の一方の側壁を形成する。
【００２２】
図１（ｄ）は、前記第１の分割パネルＢ１１の他の形態を示しており、この第１の分割パネルＢ１１ｄは、木質基材５０の裏面は平坦面であり、そのために、凹溝６３はバッカー材６０の厚みのみで作られる点でのみ、上記した第１の分割パネルＢ１１と相違している。他の構成は第１の分割パネルＢ１１と同じであり、同じ符号を付している。使用する電源線３２の直径が比較的小さい場合には、この形態の第１の分割パネルＢ１１ｄを用いることができる。
【００２３】
また、図示の例において、第１の分割パネルＢ１１と第２の分割パネルＢ１２には、前記第１の凹溝６３と直交する方向（短手方向）の第２の凹溝６４が、２つの分割パネルを組み合わせたときに、連続するようにして形成されている。なお、図示の例では、木質基材５０の分割面は平坦面となっているが、雄実加工と雌実加工とを施すこともできる。
【００２４】
次に、図２を参照して、本発明による電気式床暖房構造の施工方法を説明する。前記したように、床暖房面における最下段のヒーターパネルＡａ、Ａｂ（、Ａｃ）をコンクリートスラブ（床下地面）Ｃに貼り付ける工程は、図３に基づき説明した施工方法と同じであってよい。なお、図３では最下段に２枚のヒーターパネルＡａ、Ａｂを示したが、図２（ａ）では最下段に３枚のヒーターパネルＡａ、Ａｂ、Ａｃを示している。また、図２（ａ）ではヒーターパネルＡおよび配線パネルＢ１を雁木状のものとして示しているが、矩形状であっても同様である。
【００２５】
最下段のヒーターパネルＡａ、Ａｂ、Ａｃを貼り付けた後、作業者は、それぞれのコネクター５に、図５に基づき説明したと同様な電源ケーブル３０の各コネクター３１を接続する。接続した後、コネクター３１に接続する電源線３２におけるコネクター３１近傍の部分３２ｃを、図２（ａ）に示すように、縦方向に伸ばしておく。その状態で、前記第２の分割パネルＢ１２の必要枚数を、前記突出部６５を外側とし、かつ前記短手方向の第２の凹溝６４内に電源線３２の縦方向に伸ばした部分３２ｃが入り込むようにして、ヒーターパネルＡａ、Ａｂ、Ａｃに沿うようにしてコンクリートスラブ面に貼り付ける。
【００２６】
次に、貼り付けた分割パネルＢ１２の前記突出部６５の側壁部分６０ａに沿うようにして、横方向に向けて前記電源線３２を位置決めしながら、壁面近傍まで配線する。その状態が、図２（ｂ）の断面図に示される。これにより、電源線３２をコンクリートスラブ面（床下地面）上に、床暖房面の一方の側辺に位置するヒーターパネルＡａ、Ａｂ、Ａｃに沿って長手方向に位置決めしながら配線することがきわめて容易となり、かつ短時間で配線作業を終えることができる。
【００２７】
次に、第２の分割パネルＢ１２に沿うように、その上方に前記第１の分割パネルＢ１１を位置させ（図２（ｂ）参照）、木質基材５０の分割面同士が衝接するようにして、第１の分割パネルＢ１１を下降させる。それにより、図２（ｃ）に示すように、２つの分割パネルを一体化することにより形成された第１の凹溝６３内に電源線３２を収容した状態で、第１の分割パネルＢ１１も、コンクリートスラブ上に直貼りされる。直貼りされた第１の分割パネルＢ１１と第２の分割パネルＢ１２とが、配線パネルＢ１を構成する。
【００２８】
以下、電源線３２をリレーボックス２１内の電源端子に結線することにより、図３に示したと同等の電気式床暖房構造が完成する。
【図面の簡単な説明】
【００２９】
。
【図１】本発明で用いる２分割された配線パネルの一例を説明する図であり、図１（ａ）は上面図、図１（ｂ）は背面図、図１（ｃ）は図１（ａ）のｃ−ｃ線による断面図。
【図２】本発明の施工方法の一例を説明するための図であり、図２（ａ）は施工途中の状態を示す平面図、図２（ｂ）はその一部を示す断面図、図２（ｃ）は施工後の一部を示す断面図。
【図３】従来の電気式直貼り床暖房構造を説明するための図。
【図４】従来の電気式直貼り床暖房構造で用いる配線パネルを説明する図であり、図４（ａ）は上面図、図４（ｂ）は背面図、図４（ｃ）は図４（ａ）のｃ−ｃ線による断面図。
【図５】電源ケーブルの一例を説明する図。
【図６】従来の電気式直貼り床暖房構造の施工において、電源ケーブルを位置決めする状態を説明するための図。
【符号の説明】
【００３０】
Ｃ…コンクリートスラブ、Ａ，Ａａ，Ａｂ，Ａｃ…ヒーターパネル、Ｂ…周辺パネル、Ｂ１…裏面に凹溝を有する配線パネル、Ｂ１１…第１の分割パネル、Ｂ１２…第２の分割パネル、３０…電源ケーブル、３１…電源ケーブルのコネクター、３２…電源ケーブルの電源線、５０…木質基材、５０ａ…第１の分割パネルにおける木質基材の裏面でバッカー材が貼り付けられていない領域、６０…バッカー材、６０ａ…木質基材の分割面側の側壁部分、６３…第１の凹溝、６４…第２の凹溝、６５…バッカー材の突出部
【図１】
0005225656.tif 000002
【図２】
0005225656.tif 000003
【図３】
0005225656.tif 000004
【図４】
0005225656.tif 000005
【図５】
0005225656.tif 000006
【図６】
0005225656.tif 000007